(57)【特許請求の範囲】
【請求項１】
外側の環状密閉室からなる液体貯蔵室と内側の環状小室からなる液体供給室を有し、該液体供給室は環状の液体消費のための開口部を有し、液体供給室と液体貯蔵室とは上下に整列する一対の連通管によってのみ連通され、該一対の連通管の上方の連通管は、液体供給室内において一定位置に保持しようとする液位である設定液面位置に設けられ、更に正方形状の台板を有すことを特徴とする液体タンクの構造。
【請求項２】
上記台板は、液体貯蔵室及び液体供給室の夫々の底板を兼ねていることを特徴とする請求項１記載の液体タンクの構造。
【請求項３】
上記一対の連通管の設置方向は、台板のいずれから対角線と一致していることを特徴とする請求項１又は２に記載された液体タンクの構造。
【請求項４】
上記液体供給室の上方には補助槽が設けられていることを特徴とする請求項１〜３のいずれかに記載された液体タンクの構造。
【発明の詳細な説明】
【０００１】
【発明が属する技術分野】
この発明は液体タンクの構造に係り、例えば水、薬品、灯油等の液体を貯蔵し、しかも少量ずつ取り出す為にその取り出し用供給室を常に一定の液面に保つことができると共に、液体タンクの転倒時においても、該液体タンクの転動を防止することにより液体の漏出及び撒き散らしを防ぐことを目的とした液体タンクの構造に関する。
【０００２】
【従来の技術】
従来から、加湿装置やマイナスイオン発生装置の為の水タンク、或いは家庭用の灯油燃焼機器等における液体タンクは、その貯蔵室内の貯蔵液体を常に一定レベルで供給室に蓄えておき、必要に応じて該供給室より少量ずつ供給できる構造である。この為に、一般的にはカートリッジタイプの液体タンクを使用し、貯蔵室としての該カートリッジから供給室に少量ずつ液体を供給するものであり、その構造が複雑であるばかりでなく、貯蔵液体が薬品や灯油等の場合は、タンクの転倒による漏出が極めて重大な問題となっている。
そして、特に円筒状の液体タンクを使用する場合には、その転倒時にタンク自体が転動することによって更に漏出液体を撒き散して非常に危険であるために、いかに液体タンクの転倒を防止するかと言う点に配慮が成されていた。
【０００３】
【発明が解決しようする課題】
本発明はこの様な欠点を解消し、極めて簡単な構造の液体タンクであって、貯蔵室部から供給室部へ液体を少量ずつ補給することによって該供給室部内に常に必要な液面を確保し、更に地震等による転倒時においても貯蔵室からの液体の漏出を防ぎ、加えて液体タンク自体の転動を防止することにより極めて簡単に液体の漏出及び撒き散らしを防止できる液体タンクを提供するものである。
【０００４】
【課題を解決するための手段】
本発明の液体タンクは、外側の環状密閉室からなる液体貯蔵室と内側の環状小室からなる液体供給室を有し、該液体供給室は環状の液体消費のための開口部を有し、液体供給室と液体貯蔵室とは上下に整列する一対の連通管によってのみ連通され、該一対の連通管の上方の連通管は、液体供給室内における設定液面位置に設けられ、更に正方形状の台板を有すことを特徴とする液体タンクの構造である。
また、上記台板は、液体貯蔵室及び液体供給室の夫々の底板を兼ねていると共に、上記一対の連通管の設置方向は、台板のいずれから対角線と一致している。
そして、上記液体供給室の上方には補助槽が設けられていることを特徴とする液体タンクの構造。
【０００５】
【発明の実施の形態】
本発明の実施例を図面に基づいて説明すると、図１及び図２は本発明における液体タンク１０の基本的構造を示す模式的な縦断面である。
先ず図１において、符号１１は立型円筒状の液体タンク主体であって、その内部は大容積の環状の密閉容器として作られた貯蔵室１２の内側に、同じく環状の小容量でしかも上面はサークル状で外部に開放している開口部１４を持った液体供給室１３が、互に底部を連通して同心状に設けられている。また、両室である貯蔵室１２と液体供給室１３の底面は共通の底板２２で構成されている。
なお、この実施例においては液体供給用の開口部１４をサークル状としたが、この形状に限定されるものではない。
さらに、貯蔵室１２の上面壁の一部には通常の液体供給口１６が設けられており、一般的な栓又はキャップ１７を備えている。
【０００６】
次に、環状の液体供給室１３の下方部分外側面には、一端が貯蔵室１２の内部に開き他端が液体タンク主体１１の内周壁である貯蔵室１２の内周壁面２０に固定され、しかも液体供給室１３に連通するところの、上下２本の連通管１８Ａ、１８Ｂがそれぞれ水平に設けられている。上部の連通管１８Ａは、液体供給室１３における設定液面上方の外気を貯蔵室１２内に送り微負圧を維持する空気管として作用し、また下部の連通管１８Ｂは、貯蔵室１２内の液体を液体供給室１３に送る給液管として働くようになっている。
【０００７】
さらに、液体タンク主体１１の底部下面には、該主体の底部輪郭より外方に張り出す正方形輪郭の台板２３が任意のブラケット２４を介して液体タンク主体１１の底板２２に固着されており、このため液体タンク１０の底部の輪郭は、図３、図４に示すようにその台板２３の平面形状において、実質的にほぼ正方形となっている。
なお、液体供給室１３を形成する内側の円筒状壁２１は、その中心部に任意の液体利用装置である気化器、燃焼器等を配置する空間として利用される空間２５を形成している。
【０００８】
図２は、円筒状液体タンク主体１１と貯蔵室１２及び液体供給室１３との関係において異なる他の実施例を示している。
すなわち、この実施例において貯蔵室１２の天井面は仕切板１５によって画成されており、従って該仕切板１５の上方に前記液体供給室１３と連通する、浅い補助槽３０が形成され、この様にして例えば液体供給室１３の一部にも更に、種々の液体供給のための付属手段を設置可能としている。
【０００９】
また、該補助槽３０は液体タンク１０が転倒した場合における液体供給室１３内の液体を収納して、その漏出を防止する、いわゆるトラップの作用を奏する室でもある。
従って図２から明らかな様に、貯蔵室１２に連結される液体供給管１６は液体タンク主体１１の天板を貫通して上記仕切板１５に設けられ、図１のものと同様に栓又はキャップ１７を備えている。
【００１０】
液体タンク主体１１の底板２２に対して任意のブラケット２４、２４で連結された台板２３の平面形状は、上述のごとく正方形であって、その対角線を形成する四角２３Ａ〜２３Ｄの位置は、円筒形である液体タンク主体１１の外周部より外方に突出するように、なるべくは該液体タンク主体１１が正方形の台板２３の四辺に内接する形状とするのが好ましい。
【００１１】
本発明に関して最も重要な構造の一つは、前述の一対の連通管１８Ａ、１８Ｂの内周壁面２０への取り付け位置が、上記正方形台板２３の四角２３Ａ〜２３Ｄの何れかと一致していることである。
一方、正方形台板２３と貯蔵室１２及び液体供給室１３の共通の底面である底板２２とを共通の部材により作成することができる。そしてこの場合には、底板を兼ねる台板２３の各辺が上記液体タンク主体１１の外周壁に外接する正方形状とすることは勿論であるが、一対の連通管１８Ａ、１８Ｂの位置も上述のごとく、該台板２３の正方形状のいずれかの対角線に沿う方向に設置されるものである。
【００１２】
【作用】
上記の構成から成る本発明の液体タンクの、供給液面制御について図１により説明すると、予め貯蔵室１２に収容されている水、薬品、燃料等の液体は下部の連通管１８Ｂを介して間欠的に液体供給室１３内に流入し、他方、上部の連通管１８Ａを通じて空気が液体供給室１３の上部空間から貯蔵室１２に間欠補充され、液体供給室１３内から消費される分の液量に応じて少量ずつ供給し、液体供給室１３内の液位ＬＢを一定に保持する。
例えば家庭用灯油燃焼器のような場合には、燃焼用芯体を介して液体供給用開口部１４から灯油が消費され、これに応じて上記間欠的な液体の流入と空気の補充が繰り返されて、液体供給室１３内の液位ＬＢが自動的に制御される。
【００１３】
すなわち、燃焼により液体供給室１３内の液体面ＬＢが連通管１８Ａの高さまで下がると上部の連通管１８Ａを介して外気が供給され、これにより貯蔵室１２から下部の連通管１８Ｂを介して液体燃料が液体供給室１３に補給され、その液面が上部の連通管１８Ａの高さを越えると自動的に停止される。
そして、この様な作用は図２に示す実施例の場合においても全く同じである。
【００１４】
次に、図３、図４によって本発明の液体タンク１０が転倒した場合における、漏洩防止機構における作用を説明する。
本発明の液体タンク１０は、その貯蔵室１２と液体供給室１３を連通する一対の連通管１８Ａ、１８Ｂが上述のごとく正方形台板２３の一つの対角線に沿って設置されている。すなわち、例えば図示の様に正方形台板２３の一つの角部２３Ａに向けて連通管１８Ａ、１８Ｂが設けられている。そして、例えば正方形台板２３の一辺の長さと円筒形の貯蔵室１２の外径の寸法が等しい場合について述べると、液体タンク１０が仮に転倒したとしても、その全ての姿勢は図３の（Ａ）、（Ｂ）又は図４の（Ａ）、（Ｂ）のいずれかの状態となり、正方形台板２３の作用により更に転動することは防止される。
【００１５】
また、図３及び図４は種々の転倒形態における床面ＧＬと台板２３の四角部２３Ａ〜２３Ｄ及び一対の連通管１８Ａ、１８Ｂ、貯蔵室内の液体表面位置ＬＬ等の位置関係を表わしており、これらの図から判る様に、ある転倒状態における貯蔵室１２内の液体表面位置ＬＬと一対の連通管１８との位置関係についてみると、図３の（Ａ）、（Ｂ）の場合には共に、該連通管１８の先端開口部を該液体表面位置ＬＬの上方部位に保持することが出来る。
この様な転倒状態においては、予め貯蔵室内に収納する液体の量を調整して、液体表面位置ＬＬを連通管１８の先端開口部位より下に保つことにより、液体が連通管１８Ａ、１８Ｂのいずれかを通して液体供給室１３内に移動することを完全に防止することができる。そして、液体の消費が進むと液体表面位置ＬＬは更に低下するので、漏洩のおそれは全く無いことになる。
【００１６】
更に図４の（Ａ）、（Ｂ）のいずれかの状態で転倒した場合を見ると、同図から明らかな様にそのいずれの状態においても、一対の連通管１８Ａ、１８Ｂの先端開口部は共に液体表面位置ＬＬの下方に位置するので、上述のごとき液体の移動を生ずることがない。そして、液体の消費が進んで液体面位置ＬＬが更に低下したとしても、該連通管の液体供給室１３への開口部位置より先端開口部の方が常に下方にあるので、該連通管１８Ａ、１８Ｂを通して液体の移動は生じない。
【００１７】
【発明の効果】
本発明に係る液体タンクは上述のごとく、貯蔵室に収容した種々の液体を必要量だけ少量ずつ確実に、液体供給室内に供給し、常に液面を一定にして保持することが出来ると共に、円筒状液体タンクの転倒時においてもその転動による漏洩や撒き散らしを防止することが出来るので、特に薬品や可燃液体の収容タンクとして極めて安全であり便利である。
また、液体タンクのいかなる状態での転倒時においても、貯蔵室から液体供給室への流出を防止するので液体の漏洩を完全に防止でき、しかも構造が非常に簡素な液体タンクを提供することができる。
更に、液体供給室に補助槽を設ける構造にあっては、該供給室内に残る液体をも完全に収容することができるものである。
【図面の簡単な説明】
【図１】本発明の一実施例に係る液体タンクの模式的縦断面図である。
【図２】本発明の他の実施例に係る液体タンクの模式的縦断面図である。
【図３】図２に示す液体タンクの２種の転倒状態説明図である。
【図４】図２に示す液体タンクの他の２種の転倒状態説明図である。
【符号の説明】
１０  液体タンク
１１  液体タンク主体
１２  液体貯蔵室
１３  液体供給室
１４  開口部
１５  仕切板
１６  液体供給口
１７  キャップ
１８Ａ、１８Ｂ  連通管
２０  内周壁面
２１  内筒状壁
２３  台板
３０  補助槽
【図１】
0003577243.tif 000002
【図２】
0003577243.tif 000003
【図３】
0003577243.tif 000004
【図４】
0003577243.tif 000005